Podtech/llm-jp-corpus-v4-ja_patent huggingface dataset:
(57)【要約】      （修正有）【課題】収納場所に苦慮することなく、容易に食パンを同じ幅で、均一な厚みに切る枠を提供する。【解決手段】食パン切り用枠４と受台３と溝用支持具２を備えた底面支持具１で構成され、食パン切り用ナイフで、食パンを同じ幅で、均一な厚みに切る事を可能にし、簡易な形状で設置が面倒でなく、収納場所に苦慮しないということを可能にした。【選択図】図１
0003160527.tif 000002
【実用新案登録請求の範囲】
【請求項１】
受台３を備え、溝用支持具２が付属した底面支持具１を有する食パン切り用枠。
【考案の詳細な説明】
【技術分野】
【０００１】  本考案は、食パン切りに使用される枠に関するものである。
【背景技術】
【０００２】  家庭用パン焼き機で焼き上がった底の四角い食パンは、その家庭で容易に切る事が必要になる。これまでに特許文献１に示すものが知られている。この特許文献１では、食パン切り用枠と食パン切り用ナイフを使用し家庭で均一に切る事が出来る。
【先行技術文献】
【特許文献】
【０００３】
【特許文献１】登録実用新案第３０８７０９７号公報
【考案の概要】
【考案が解決しようとする課題】
【０００４】  しかし、前記特許文献１は受台と移動型枠の中に食パンを置く構造になっている。家庭用パン焼き機で焼き上がった食パンを縦に設置するためには、枠を１．５斤の高さに合わせる必要があるので大きくなり、構造が複雑で、収納場所に苦慮するということに着目すべきである。そこで、本考案は、収納場所に苦慮することなく、容易に食パンを同じ幅で、均一な厚みに切る枠を提供する事を目的とするものである。
【課題を解決するための手段】
【０００５】  上記目的を達成するために、本考案の食パン切り用枠は、食パン切り用枠４と底面支持具１と受台３で構成され、底面支持具１には溝用支持具２を備えることにより出来る食パン切り用ナイフ案内溝Ｃを設け、食パンを食パン切り用枠４に寝かせて置き、食パン切り用ナイフで、食パンを同じ幅で均一な厚みに切る事を可能にし、形状が簡易で設置が面倒でなく収納場所にも苦慮しないということを可能にした。
【考案の効果】
【０００６】  本考案によれば、家庭用パン焼き機で焼き上がった食パンを、同じ幅で均一な厚みに切るという効果がある。【０００７】  又、形状が簡易で出し入れが面倒でなく、収納場所に苦慮する事がない。【０００８】  底面支持具１と溝用支持具２によって出来る食パン切り用ナイフ案内溝Ｃを設けた事により、底面支持具１に傷つけることなく端まで確実に切ることが出来るという効果がある。
【図面の簡単な説明】
【０００９】
【図１】本考案の食パン切り用枠の斜視図である。
【図２】本考案の食パン切り用枠の実施例を示す斜視図である。
【考案を実施するための形態】
【００１０】  食パンを食パン切り用枠の間に設置し、食パン切り用枠の上部に添って食パン切り用ナイフを用いて切る事により、同じ幅で均一な厚みに切る事が出来る。又、食パン切り用ナイフを食パン切り用ナイフ案内溝に入れると、完全に切る事が出来る。
【実施例】
【００１０】  以下、添付図面に従って一実施例を説明する。
図２において、食パンＡは食パン切り用枠４の間に置かれ、食パンの底は底面支持具１に支持されている。底面支持具１と食パンＡを手で軽く押さえ、食パン切り用ナイフＢを食パン切り用枠４の上部に当て、食パン切り用案内溝Ｃの方向へ切っていく。【００１１】  食パン切り用枠４の間で均一に切った食パンを取り出し、残りの食パンＡを食パン切り用枠４に入れ、同じ要領で切る事により、食パンＡを同じ幅で均一な厚みに切る事が出来る。
【符号の説明】
【００１２】  １  底面支持具
２  溝用支持具
３  受台
４  食パン切り用枠
Ａ  食パン
Ｂ  食パン切り用ナイフ
Ｃ  食パン切り用ナイフ案内溝
【図１】
0003160527.tif 000003
【図２】
0003160527.tif 000004
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
食パンをのせる受台と、その中央に横にした状態で置く食パンの幅より外側両端に、食パン一枚分の厚さで受台と同じ長さの細い具材を取り付けて枠とし、その両端の枠の上部に食パン切り用ナイフの面を接しながら切り終えた処に、食パン切り用ナイフ案内溝を設ける為に取り付けた溝用支持具の付属した底面支持具を取り付けた食パン切り用枠。
(57)【要約】      （修正有）【課題】素早くかつ手ぶれを起こしにくいズーム操作を可能とするカメラズーム補助装置を提供する。【解決手段】一眼レフカメラのズームリングの外径よりもやや大きめの内径を有する高さの短い円筒１０の外周１１の複数ヶ所にこの外周１１に対し垂直にネジ穴２、２・・・を設け、このネジ穴２、２・・・にぴったりはまるネジ３、３・・・がねじ込まれていることを特徴とするカメラズーム補助装置１。【選択図】図１
0003160546.tif 000002
【実用新案登録請求の範囲】
【請求項１】
一眼レフカメラのズームリング（４）の外径よりもやや大きめの内径を有する高さの短い円筒（１０）の外周（１１）の複数ヶ所にこの外周（１１）に対し垂直にネジ穴（２、２・・・）を設け、このネジ穴（２、２・・・）にぴったりはまるネジ（３、３・・・）がねじ込まれていることを特徴とするカメラズーム補助装置（１）。
【考案の詳細な説明】
【技術分野】
【０００１】本考案は、素早くかつ手ぶれを起こしにくいズーム操作を可能とするカメラ装置に関するものである。
【背景技術】
【０００２】一眼レフカメラ等レンズの筒の長いカメラでは、レンズの筒部分を指で回転させることにより、ズームを操作する。しかしながら、ズーム操作を完了するのに時間がかかっていた。また、レンズの筒部分を直接手で触るため、手ぶれが起こってしまうのであった。
【考案の概要】
【考案が解決しようとする課題】
【０００３】このようなズーム操作時の時間短縮および手ぶれ軽減を可能にすることである。
【課題を解決するための手段】
【０００４】本考案のカメラズーム補助装置は、一眼レフカメラのズームリング（４）の外径よりもやや大きめの内径を有する高さの短い円筒（１０）の外周（１１）の複数ヶ所にこの外周（１１）に対し垂直にネジ穴（２、２・・・）を設け、このネジ穴（２、２・・・）にぴったりはまるネジ（３、３・・・）がねじ込まれていることを特徴とする。【０００５】本考案で用いる円筒（１０）の材料としては、頑丈なものであれば何でもよいが、扱いやすさ、軽量さから、金属または硬質プラスチック等であればよい。【０００６】本考案に用いる円筒（１０）は、カメラのズームリングに装着しやすいように高さの短いものがよく、カメラのズームリングの幅の長さと同じか少々短いものがよく、一般的な一眼レフカメラ用であれば、高さ１０ｍ／ｍ程度が好ましい。【０００７】本考案に用いるネジ（３、３・・・）は、円筒（１０）をカメラに固定するためとこのネジのねじ込まれていない残余の部分に指をかけて回すために用いられるから、しっかりしたものが好ましく、太さとしては直径４ｍｍ程度、長さ１．５ｃｍから２．０ｃｍ、が好ましい。【０００８】このネジ（３、３・・・）の先端に、カメラのズームリングを痛めないように、ゴムなどの緩衝材（５、５・・・）を取り付けたものでもよい。
【考案の効果】
【０００９】上述のネジ（３、３・・・）はねじ込んで、この円筒（１０）をカメラのズームリングにしっかり固着して、ねじ込まれていない残余の部分に指をかけ、この円筒（１０）を回転させることによりズームリングが連動して回転するようになる。【００１０】本考案のカメラズーム補助装置は、特に動画撮影の際に、対象物に近づいたり離れたりしながらのズーミングの時の手ぶれを軽減しながら素早くズームできるものである。
【図面の簡単な説明】
【００１１】
【図１】本考案の一例を示す説明図。
【図２】本考案を実際のカメラに装着した状態を示す説明図。
【考案を実施するための形態】
【実施例】
【００１２】以下、添付図面に従って実施例を説明する。一眼レフカメラのズームリング（４）の外径よりもやや大きめの内径８０．５ｍ／ｍ、高さ１０ｍ／ｍのアルミ製の円筒（１０）の外周（１１）の等間隔の３箇所に、この外周（１１）に対し垂直に直径４ｍｍのネジ穴（２、２・・・）を設け、この各々のネジ穴（２、２・・・）にぴったりはまる直径４ｍｍ、長さ１．５ｃｍのネジ（３、３・・・）をねじ込んだ。このネジ（３、３・・・）のズームリング（４）に接する先端にはゴム（５、５・・・）を装着した。このようにして本考案のカメラズーム補助装置を完成させた。【００１３】図２は、本考案のカメラズーム補助装置を実際のカメラに装着した状態を示す。カメラボディから一眼レフのレンズ本体をはずして根本からズームリングの外側にうしろから入れ、上記のネジ（３、３・・・）をネジ穴（２、２・・・）に各々ねじ込んでズームリング（４）に固着させて、のちカメラボディとレンズ本体を取り付けた状態を示す。この状態で、ネジ（３、３・・・）は、ねじ込まれていない残余が８ｍｍであった。このネジ（３、３・・・）の残余部分のところを指で回せば特に撮影時に歩行したり上下させたりするような撮影時に手ぶれの減少等威力を生じた。この手ぶれ防止効果は特に、動画撮影の時に更に威力を発揮した。
【産業上の利用の可能性】
【００１４】本考案は、上述の通り、簡単に作成することができ、カメラ愛好家に好適なものである。
【符号の説明】
【００１５】  １  カメラズーム補助装置
１０  円筒
１１  外周
２  ネジ穴
３  ネジ
４  ズームリング
５  ゴム緩衝材
【図１】
0003160546.tif 000003
【図２】
0003160546.tif 000004
(57)【要約】      （修正有）【課題】植物の名前や育て方などを簡易表示するラベルなどを、その形状や数を選ばずに、簡易に取り付け・交換ができる植木鉢を提供する。【解決手段】上縁部を外側下向きに折り返してなる折り返し部分を有し、この折り返し部分に、ラベルなどを細針金やＳ字フックなどで取り付けるための複数の穴をあける。【選択図】図１
0003160543.tif 000002
【実用新案登録請求の範囲】
【請求項１】
植木鉢やプランターの上縁部分を装飾的に外側下向きに折り返して成型する。折り返した部分に適宜の間隔で穴をあけ、ラベルなどを細針金やS字フックなどで結びつけることができるようにする。穴の形や位置および数は装飾的に調整する。
【考案の詳細な説明】
【技術分野】
【０００１】
本考案は、ラベルを取り付けるための工夫を施した植木鉢およびプランターに関するものである。
【背景技術】
【０００２】
植木鉢やプランターで育てる鉢用の苗を購入すると、名前や育て方などを簡易表示した耐水性ラベルが細い針金で植物の幹に結び付けられていたり、ポット苗に刺してある事が通常である。しかし、植木鉢の向きによってはラベルが見えにくく、植物の成長につれて針金が植物の幹に喰い込んで植物を傷めかねない。また、そのラベルが鑑賞やメンテナンスの邪魔になる事がある。
【先行技術文献】
【特許文献】
【０００３】
【特許文献１】特許公開番号２００７−１０４９６１
【考案の概要】
【考案が解決しようとする課題】
【０００４】
鉢用苗の購入時に付いていたラベル、および育成記録をメモするための自分仕様のラベルなど、形状の異なるラベルを、植物の生育や鑑賞に邪魔にならないように植木鉢やプランターに簡易に取り付け・交換ができ、植え替え時にも簡単に移設できるようにする。
【課題を解決するための手段】
【０００５】
植木鉢やプランターの上縁部分を装飾的に外側下向きに折り返して成型する。折り返した部分に適宜の間隔で穴をあけ、その穴の一つにラベルを細針金やS字フックなどで結びつける。穴の形や位置および数は装飾的に調整する。
【考案の効果】
【０００６】
鉢用苗購入時に付いてくる名前や育て方などを簡易表示した耐水性ラベルを穴の一つに取り付けることができ、植物を傷めない。その他の穴に、簡単な生育メモを記入する自分仕様のラベルを同様に取り付けることもできる。この方法であれば様々な形状のラベルの取り付けが可能で、取り外し・交換・移設が容易で植物を傷めない。穴は装飾的デザインともなる。
【図面の簡単な説明】
【０００７】
【図１】ラベルを取り付けた植木鉢の側面イメージ図である。
【考案を実施するための形態】
【０００８】
植木鉢やプランターの上縁部分を装飾的に外側下向きに折り返して成型する。折り返した部分に適宜の間隔で穴をあけ、その穴の一つにラベルを細針金やS字フックなどで結びつける。穴の形や位置および数は装飾的に調整する。その他の穴に、簡単な生育メモを記入する自分仕様のラベルを同様に取り付けても良い。
【符号の説明】
【０００９】
１  植木鉢の上縁部折り返し部分
２  穴
３  ラベルなど
４  細針金やS字フック
【図１】
0003160543.tif 000003
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
植木鉢やプランターにおいて、上縁部を外側下向きに折り返してなる折り返し部分を有し、この折り返し部分に、ラベルなどを細針金やS字フックなどで取り付けるための複数の穴をあけた事を特徴とする、ラベル取り付け用の穴付き植木鉢。
(57)【要約】      （修正有）【課題】様々な形状の屑籠の内側に敷き入れる際、装着が安定するビニール袋を提供する。【解決手段】両面テープ片の片面のカバーシールを剥がし、長方形のビニール袋１の開口部外面の手前側の端に一つ、向こう側の反対側の端に一つ、それぞれ貼り付けておく。屑籠３より大きめのビニール袋１を屑籠３の内側に敷き入れ、ビニール袋の上縁を屑籠の外側に折り返してかぶせる。この時、二つの両面テープ片は屑籠口縁の対角に位置し、ビニール袋の折り返した部分の裏側に来る。折り返した部分のビニール袋が弛まないように、同じ対角側に位置するビニール袋を手繰り寄せ、両面テープのシール２−２を剥がして裏側面どうしで貼り合わせる。対角の両側でそれぞれ手繰り寄せて貼り合わせる事で、折り返したビニール袋を屑籠の外周にピッチリと押しつけることができ、ビニール袋の装着が安定する。【選択図】図２
0003160544.tif 000002
【実用新案登録請求の範囲】
【請求項１】
屑籠の内側に敷き入れて使う専用のビニール袋として使用するため、両面テープ片の片面のカバーシールを剥がし、長方形のビニール袋開口部外面の手前側の端に一つ、向こう側の反対側の端に一つ、それぞれ貼り付けておくことを特徴とする。
【考案の詳細な説明】
【技術分野】
【０００１】
本考案は、屑かごの内側に敷き入れて使うビニール袋に関するものである。
【背景技術】
【０００２】
屑籠あるいはゴミ箱には、内側が汚れるのを防ぐために適宜のビニール袋やポリ袋、あるいは市販の耐水性ゴミ袋を内側に敷き入れる。その際、ビニール袋は内径も高さも屑籠より大きめの物を利用し、ビニール袋の上縁を屑籠の外側に折り返してかぶせるのが通常であるが、使用中に於いてもゴミを空ける際にも、装着したビニール袋が安定せずに浮き上がったり動いたりして面倒である。安定させるために、その屑籠専用の付属補助具を使ったり、ビニール袋の折り返した部分の上から輪ゴムをはめたりする事も多い。
【先行技術文献】
【特許文献】
【０００３】
【特許文献１】特許公開平１１−２１７１０３
【考案の概要】
【考案が解決しようとする課題】
【０００４】
どのような形状の屑籠あるいはゴミ箱であっても、内側に敷き入れた際の装着を安定させ、使用中に於いてもゴミを空ける際にも、ずれたり動いたりしないような工夫を施した、利便性の高いビニール袋を考案する。
【課題を解決するための手段】
【０００５】
本考案は、両面テープ片の片面のカバーシールを剥がし、長方形のビニール袋開口部外面の手前側の端に一つ、向こう側の反対側の端に一つ、それぞれ貼り付けておくことを特徴とする。内径および高さが屑籠より大きめのビニール袋を屑籠の内側に敷き入れ、ビニール袋の上縁を屑籠の外側に折り返してかぶせる。この時、ビニール袋に貼ってある二つの両面テープ片は屑籠口縁の対角に位置し、両面テープ片はビニール袋の折り返した部分の裏側に来る。折り返した部分のビニール袋が弛まないように、同じ対角側に位置するビニール袋を手繰り寄せ、両面テープのシールを剥がして裏側面どうしで貼り合わせる。対角の両側でそれぞれ手繰り寄せて貼り合わせる事で、折り返したビニール袋を屑籠の外周にピッチリと押しつけることができ、ビニール袋の装着が安定する。屑籠が円柱型でも角柱型でも、また変型であっても対応できる。
【考案の効果】
【０００６】
ビニール袋を屑籠の内側に敷き入れた時、ビニール袋の装着が安定し、使用中に於いてもゴミを空ける際にも、ずれたり動いたりしなくなる。屑籠あるいはゴミ箱の形状を選ばない上、各々の屑籠専用の別途の付属補助具を必要としない。
【図面の簡単な説明】
【０００７】
【図１】ビニール袋に両面テープ片を貼る位置を示した図である。
【図２】図１に示したビニール袋を使用したイメージ図である。
【考案を実施するための形態】
【０００８】
両面テープ片の片面のカバーシールを剥がし、長方形のビニール袋開口部外面の手前側の端に一つ、向こう側の端に一つ、それぞれ貼り付けた状態で商品提供する。
内径および高さが屑籠より大きめのビニール袋を屑籠の内側に敷き入れ、ビニール袋の上縁を屑籠の外側に折り返してかぶせる。この時、ビニール袋に貼ってある二つの両面テープ片は屑籠口縁の対角に位置し、両面テープ片はビニール袋の折り返した部分の裏側に来る。折り返した部分のビニール袋が弛まないように、同じ対角側に位置するビニール袋を手繰り寄せ、両面テープのシールを剥がして裏側面どうしで貼り合わせる。対角の両側でそれぞれ手繰り寄せて貼り合わせる事で、折り返したビニール袋を屑籠の外周にピッチリと押しつけることができ、ビニール袋の装着が安定する。屑籠が円柱型でも角柱型でも、また変型であっても対応できる。
【符号の説明】
【０００９】
１      ビニール袋
２−１  両面テープ片（片面のカバーシールを剥がしてビニール袋に貼りつけた状態）
２−２  両面テープ片（折り返したビニール袋の裏面どうしで貼り合わせた状態）
３      屑籠あるいはゴミ箱
【図１】
0003160544.tif 000003
【図２】
0003160544.tif 000004
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
長方形のビニール袋において、開口部外側面に両面テープを有することを特徴とする、屑籠用ビニール袋。
(57)【要約】【課題】スーツケースのキャリーバー両内桿の間の空間を利用して物品を収納、取出し可能な収納箱を設ける。【解決手段】内桿１０、該内桿内を摺動する伸縮する伸縮桿１１およびこれらの連結するスーツケースの底定位板１３および上定位板１４を備えたキャリーバーにおいて、内桿の間に空間に収納箱２０を配置して、上定位板１４に開口を設けて封止蓋２１により封止する。  上定位板はスーツケースから外に露出しており、該封止蓋を開閉することにより、該収納箱内に雨傘などの小物を収納して、スーツケースを開閉することなく取り出し、収納することができる。【選択図】図３
0003160590.tif 000002
【実用新案登録請求の範囲】
【請求項１】
一対の内桿、該内桿内を摺動する伸縮する伸縮桿およびこれらの内桿を連結するスーツケースの底定位板および上定位板を設けて、伸縮桿の上端をハンドルで連結したキャリーバーにおいて、
該底定位板はスーツケース底部を支持すると共に、該上定位板はスーツケースの上面の一側部を覆い、
該内桿の間の空間に該上定位板に連結して開口を設けた収納箱を配置して、小物の収納を可能とした、
ことを特徴とするスーツケースのキャリーバー収納箱設置構造。
【請求項２】
前記収納箱は、上端の開口に封止蓋を設置して物品入れの開閉に用いることを特徴とする請求項１記載のスーツケースのキャリーバー収納箱設置構造。
【請求項３】
前記収納箱は、底部の底台に弾性部品を設置し、弾性部品の上端には昇降板を設置して、該弾性部品の弾発力に抗して収納箱内に押し込まれて該封止蓋により固定されていた内部の物品を封止蓋の開放時に上方に押し上げるようにしたことを特徴とする請求項１記載のスーツケースのキャリーバー収納箱設置構造。
【考案の詳細な説明】
【技術分野】
【０００１】
本考案は、スーツケースのキャリーバー収納箱設置構造に関するもので、スーツケースの伸縮キャリーバーの間に物を入れる構造を備え、空間を十分に利用し、物品の取り出しも便利である。
【背景技術】
【０００２】
公知のスーツケースの伸縮キャリーバー構造に於いて、およそ図１、２に示すとおり、上定位板５、底定位板４およびこれらの両端に設置した内桿１、内桿１内に設置した伸縮桿２、両伸縮桿２上端を連結するハンドル３で構成する。それらは箱体６内にすべてを設置し、内張り布層７で隔て、そこに内桿１を入れる。
【先行技術文献】
【特許文献】
【０００３】
【特許文献１】特開平１１−２７６２２８号公報
【考案の概要】
【考案が解決しようとする課題】
【０００４】
解決しようとする問題点は、図２に示すとおり、内張り布層７の両内桿１間の空間Ｗは物を置けるようになっておらず、空間を無駄にしている。また、急いで取り出さなければならない物品、例として雨傘等は、箱体６内に入れると、使用もしくは収納するのに、わざわざファスナーを開いて箱体６を開けなければならず、非常に不便である。
【課題を解決するための手段】
【０００５】
本考案は、スーツケースのキャリーバーに物品を収納可能として実用性を備え、固定スーツケース伸縮キャリーバーの上定位板に収納箱を設置し、収納箱の底端に昇降する弾性部品、昇降板を設置し、上端には掛合する封止蓋を設置する。それらによって、収納箱内に物品（例として雨傘)を収納することを最も主な特徴とする。
【考案の効果】
【０００６】
本考案のスーツケースのキャリーバー収納箱設置構造は、両内桿の間の空間を十分に利用して物品を収納、取出し可能とするという利点がある。
【図面の簡単な説明】
【０００７】
【図１】公知の立体図である。
【図２】公知の箱体に組み立てた状態の断面図である。
【図３】本考案の立体分解図である。
【図４】本考案の物品を収納した組立断面状態図である。
【図５】本考案の物品が突出した状態図である。
【考案を実施するための形態】
【０００８】
本考案は、上述の公知の問題を改善するため、伸縮キャリーバーの上定位板、両内桿の間に収納箱を設置し、収納箱に物品を収納することで、両内桿の間の空間を十分に利用し、更に物品の取り出しを便利にする。また、収納箱底部で昇降する弾性部品、昇降板を設置し、物品を下げて収納したり、取り出したりするのに便利である。
【実施例】
【０００９】
図３、４、５に示すとおり、上定位板１４と底定位板１３両端に内桿１０を設置する。両内桿１０には伸縮桿１１を設置し、両伸縮桿１１上端はハンドル１２で連結する。上定位板１４に収納箱２０を設置し、収納箱２０は両内桿１０の間に設置する。収納箱２０は上定位板１４と一体射出成型で構成し、収納箱２０上端開口は封止蓋２１により掛合蓋止めしたり、開けたりする。収納箱２０底部の底台２２には弾性部品２３を設置し、弾性部品２３上端には昇降板２４を設置する。
【００１０】
本考案の作用、効果は次のとおりである。図４の状態は、物品２５(例として雨傘)を収納箱２０の中に入れ、物品２５を封止蓋２１を押し下げて掛合し、物品２５を収納している。物品２５を取り出したい時、封止蓋２１を開けると、図５に示すとおり、弾性部品２３の弾力が昇降板２４を上昇させ、物品２５を上げて収納箱２０の外に押し出して取り出しやすくする。以上の説明で分かるとおり、収納箱２０を両内桿１０の間に設置することで、両内桿１０間の空間２を十分に利用し、箱体６を開けることなく、簡単に物品を取り出したり、収納したりすることができる。
【００１１】
上述に示すとおり、本考案の構造は、良好な実用性を備え、効果を高めることから、実用新案登録の要旨に符合するため、申請する。
【符号の説明】
【００１２】
１        内桿
１０        内桿
１１        伸縮桿
１２        ハンドル
１３        底定位板
１４        上定位板
２        伸縮桿
２０        収納箱
２１        封止蓋
２２        底台
２３        弾性部品
２４        昇降板
２５        物品
３        ハンドル
４        底定位板
５        上定位板
６        箱体
７        内張り布層
Ｗ        空間
【図１】
0003160590.tif 000003
【図２】
0003160590.tif 000004
【図３】
0003160590.tif 000005
【図４】
0003160590.tif 000006
【図５】
0003160590.tif 000007
【手続補正書】
【提出日】平成22年4月23日(2010.4.23)
【手続補正１】
【補正対象書類名】実用新案登録請求の範囲
【補正対象項目名】請求項３
【補正方法】変更
【補正の内容】
【請求項３】
前記収納箱は、底部の底台に弾性部品を設置し、弾性部品の上端には昇降板を設置して、該弾性部品の弾発力に抗して収納箱内に押し込まれて該封止蓋により固定されていた内部の物品を封止蓋の開放時に上方に押し上げるようにしたことを特徴とする請求項２記載のスーツケースのキャリーバー収納箱設置構造。
(57)【要約】      （修正有）【課題】浣腸液には、水道水などを用いることが出来、容器には入れやすく、送液及び停止を容易とし、肛門への挿入部分は挿入及び引き抜きを容易とし、その脱落はしにくくした簡易浣腸器を提供する。【解決手段】浣腸液の容器１は、キャップを装着できる液の入れ口と、ジャバラ形体で収縮させ送液できるボディーと、液の送りを制御できるコックから成る。更に、柔軟な送液用チューブ２と、直径５〜１０ｍｍで空洞の軸の球形物を２〜４個連結した浣腸液が通る肛門挿入部３より成ることを特徴として簡易浣腸器を構成する。【選択図】図１
0003160502.tif 000002
【実用新案登録請求の範囲】
【請求項１】
浣腸液の容器は、キャップを装着できる液の入れ口と、
ジャバラ形体で収縮させ送液できるボディーと、
液の送りを制御できるコックから成り、
更に、柔軟な送液用チューブと、
球体を連結したような肛門挿入部より成ることを特徴とする簡易浣腸器。
【請求項２】
各構成部分が、美しく彩色されたことを特徴とする請求項１記載の簡易浣腸器。
【考案の詳細な説明】
【技術分野】
【０００１】
本考案は、浣腸手順が容易な直腸洗浄器具に関するものである。
【背景技術】
【０００２】
一般に浣腸処置には、50％グリセリン溶液などを一定量密封した医薬品があるが、場合により排便に容量不足であり、用事の購入が通常である。
【０００３】
容量の大きいものでは、大腸洗浄用のバッグがあるが、支持台や設置場所が必要である。
【０００４】
中容量のものでは、浣腸液の送液に注射筒を用いるものがあるが、プランジャーを要し、ガラス製は比較的重く、破損の危険性もある。
【先行技術文献】
【特許文献】
【０００５】
【特許文献１】特開２０００−３４２６８４号公報
【特許文献２】登録実用新案第３１３６４７３号
【考案の概要】
【考案が解決しようとする課題】
【０００６】
解決しようとする問題点は、ある程度の容量の液を使用する浣腸には、大きなシリンジ又はバッグとその支持台など特別な容器や用具が必要であり、操作が容易でない点である。
【課題を解決するための手段】
【０００７】
本考案は、浣腸液には、水道水などを用いることが出来、容器には入れやすく、送液及び停止を容易とし、肛門への挿入部分は挿入及び引き抜きを容易とし、その脱落はしにくいことを特徴とする。
【０００８】
更に、基材は破損しにくいものとし、又、彩色されたものもあり、呼称も付けて表現しやすくする。
【考案の効果】
【０００９】
本考案の簡易浣腸器は、使用する人が必要とする浣腸液量に対応でき、操作は容易で日常的に使用でき、排便行動を楽に、楽しくするという利点がある。
【図面の簡単な説明】
【００１０】
【図１】図１は簡易浣腸器を示した説明図である。
【考案を実施するための形態】
【００１１】
日常の排便行動を楽にするという目的を、簡単な用具で、身近な水道水などを使用できるようにして実現した。
【実施例１】
【００１２】
図１は、本考案器具の断面図であり、(１)は浣腸液の容器、(２)は送液用チューブ、(３)は肛門挿入部分である。基材は合成樹脂である。
【００１３】
容器の上部には液の入れ口とそのキャップがあり、下部にはコックがあり、送液の制御ができる。ボディーはジャバラ形体であり、収縮させて送液する。容器は彩色されている。
【００１４】
送液用チューブは、柔軟で、ピンチコックで液を停止でき、長さは必要に応じてカットできる。
【００１５】
肛門挿入部分は、表面は円滑で、１〜複数の球を連結したような形状であり、中心は液が流れる管状である。
【００１６】
容器に水道水0.5リットルを入れ、キャップをして、肛門挿入部分を肛門に挿入して、約1分間で送液する。その後、約5分間内に排便が終了した。
【実施例２】
【００１７】
無色の容器に微温湯2リットルを入れ、キャップをして、肛門挿入部分を肛門に挿入して、約5分間で送液する。その後、約5分間内に排便が終了した。
【産業上の利用可能性】
【００１８】
本考案の基材は合成樹脂であり、衝撃に対して強い。美しく彩色されたものは使用を楽しくさせる。容器はジャバラ形状で送液にプランジャーなどを必要としない。容器はコック付きで送液を制御できる。肛門挿入部分は円滑で、マクロゴールなどを塗布すれば、更に挿入しやすく、球体を連結したような形状で脱落しにくい。これらは容易に操作でき、日常的に使用ができ、排便行動を楽にすることに適用できる。基材の色の選択は自由で、無色もある。
【符号の説明】
【００１９】
(１)    浣腸液の容器
(２)    送液用チューブ
(３)    肛門挿入部
【図１】
0003160502.tif 000003
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
浣腸液の容器は、キャップを装着できる液の入れ口と、
ジャバラ形体で収縮させ送液できるボディーと、
液の送りを制御できるコックから成り、
更に、柔軟な送液用チューブと、
直径５〜１０ｍｍで空洞の軸の球形物を２〜４個連結した浣腸液が通る肛門挿入部より成ることを特徴とする簡易浣腸器。
【請求項２】
浣腸液の容器の液の入れ口と、
ジャバラ形体のボディーと、
液の送りのコックと、
送液用チューブと、
肛門挿入部の内１つ又は複数が、美しく彩色されたことを特徴とする請求項１記載の簡易浣腸器。
(57)【要約】      （修正有）【課題】鴨居等にしっかり洗濯物を落下させずに固定して干す事ができる吊り下げ金具を提供する。【解決手段】角柱状体の横断面をはさみ込む形式の両側ワニ口ハンド３ａの一端をピン５ａで開閉自在に結合し、両側ワニ口ハンド３ａのそれぞれのハンド部を引張りスプリング４ａで、閉じ方向に付勢する様に連結する。上記構成のワニ口ハンド３ａで室内の鴨居１ａ等の横木をはさみ込む。さらに少なくとも、もう一対の両側ワニ口ハンド３ａで上記と同様に上記の横木をはさみ込む。２つの両側ワニ口ハンドの底部にそれぞれ設けたパイプホルダーへパイプ６ａを取り付け、そのパイプへ小物ハンガー等を吊り下げる。【選択図】図２
0003160508.tif 000002
【実用新案登録請求の範囲】
【請求項１】
本考案の吊り下げ金具は，引っ張りスプリング付両側ワニ口ハンドで構造物へしっかり固定し，吊り下げ金具底部にパイプ等を通し，そのパイプ部へハンガー等を吊り下げる為の，金具である。
【考案の詳細な説明】
【技術分野】
【０００１】本考案は，鴨居など構造物に本考案の吊り下げ金具を固定設置し，吊り下げ金具下部にパイプを取り付け，そのパイプにハンガー等を吊り下げる金具である。
【背景技術】
【０００２】  本考案は，主に洗濯物を干す時等の金具に最適で，特に雨の日等洗濯物等を室内に干さなければならない場合等に，鴨居等構造物に直接ハンガーや小物ハンガー等の洗濯物等を吊り下げる時に使用する。
小物ハンガーやハンガー等吊り下げ物の引掛け部分先端形状には多くの種類があるが，しっかり安定した固定方法でない場合には洗濯物等が落下し易く，特に乾燥していない洗濯物等が落ちた場合には，再度洗い直しが必要となり，家庭の主婦等には不都合で，しっかりと固定する事が要求された為に考案された吊り下げ金具です。
洗濯物等だけでなく，その他にも多くの場面・場合に安定した吊り下げを要求された場合に最適な金具で，どこにでも活用される金具である。
本考案の金具を鴨居等構造物に取り付け，本考案金具にパイプを取り付ける事で安定した取り付けとなり，落下防止となる，吊り下げ金具を使用しない時の収容する時点においても，必要な収納スペースは省スペースですみ，容易に収納できる。
【先行技術文献】
【非特許文献１】
【０００３】「公報種別」登録実用新案公報（Ｕ）
「登録番号」第３０１３９２９号
「登録日」平成７年（１９９５）５月１７日
「発行日」平成７年（１９９５）７月２５日
「考案の名称」物干しハンガー
「国際特許分類第６版」Ｄ０６Ｆ  ５７／００，３８０
【０００４】「国際特許分類第６版」Ｄ０６Ｆ  ５７／１２＠Ｒ
【考案の概要】
【考案が解決しようとする課題】
【０００５】屋内など洗濯物などを吊り下げる場合には，特に雨の日などに鴨居など構造物に掛ける事が多くある，しかしハンガーや小物ハンガーなどの引掛け先端部の形状には多くの種類があり，物を鴨居など構造物へ掛ける時に落下し易い，例えば濡れている洗濯物などを室内などの鴨居や構造物へ吊り下げる場合には，落下により再度洗い直しが必要となり，本考案の金具を使用する事で，落下する事を解決できる。
【課題を解決する為の手段】
【０００６】本考案は，両側ワニ口ハンドを上に向け，その両側ワニ口ハンドは両側接続部をピンで蝶番状に自在とし，自在ハンドに取り付けたスプリングで両側ワニ口ハンドの開度調整が自在にでき，両側ワニ口ハンドを吊り下げ部に設置し，下部パイプホルダーへパイプを取り付け，そのパイプへ小物ハンガーやハンガー等を吊り下げる事で，安定固定できる。
【考案の効果】
【０００７】本考案は，鴨居などの構造物へ吊り下げ・固定する為の機構を要し，この機構を使用する事で多少寸法の違う取り付けう部分へも安定した固定ができ，落下防止，脱着容易，収納容易，安心して屋内に洗濯物などを吊り下げる事ができる。
【図面の簡単な説明】
【０００８】
【図１】本考案の吊り下げ金具の実施例を示す正面図である。
【図２】本考案の吊り下げ金具の取付実施例を示す側面図である。
【考案を実施する為の形態】
【０００９】本考案は，両側ワニ口ハンドの底部をピンで蝶番とし自在とし，引っ張りスプリングを要して開度を自在にして目標物へ設置する動作を容易にし，目標の構造物へ固定取り付けし，金具下部パイプホルダー部へパイプを差し込む事で設置完了となり，安定した固定となり，容易に設置でき，容易に収納もできる。
【実施例】
【００１０】以下，添付図面に従って実施例を説明する。
１−吊り下げ金具《２ａ》２セットと棒状パイプなど《６ａ》で１組を主として形成する。
２−両側ワニ口ハンド）《３ａ》は構造物《１ａ》などへ固定する為
３−両側ワニ口ハンド《３ａ》は引っ張りスプリング《４ａ》でつなぎ，開度調整する。
４−両側ワニ口ハンド《３ａ》は自在に動くように底部にピンなど《５ａ》を打ち，蝶番構造とする。
５−吊下げ棒状パイプなど《６ａ》を取付ける為に，金具底部は円形及び半円形の形状とし，棒状パイプ《６ａ》などを取り付ける。
６−本考案の吊り下げ金具《２ａ》は，使用しない時には，棒状パイプ《６ａ》などをはずし，吊り下げ金具《２ａ》を片寄せれば少ないスペースで収納する事ができる。
【符号の説明】
【００１１】《１ａ》＝屋内構造物
《２ａ》＝吊り下げ金具
《３ａ》＝両側ワニ口ハンド
《４ａ》＝引っ張りスプリング
《５ａ》＝蝶番ピン
《６ａ》＝パイプ
【図１】
0003160508.tif 000003
【図２】
0003160508.tif 000004
【手続補正書】
【提出日】平成22年4月21日(2010.4.21)
【手続補正１】
【補正対象書類名】実用新案登録請求の範囲
【補正対象項目名】全文
【補正方法】変更
【補正の内容】
【実用新案登録請求の範囲】
【請求項１】
閉じ方向に付勢するスプリングを備えたワニ口ハンドからなる金具と、パイプと、を備え、
前記ワニ口ハンドを上方に向けた状態で、２つの前記金具を構造物に取り付け、前記２つの金具の前記ワニ口ハンドの開閉支点部内側に前記パイプを配置してなる吊り下げ金具。
(57)【要約】      （修正有）【課題】電車など交通機関の利用時に傘を畳んで先端を地面につけて持つような場合、傘柄の湾曲部が下向きになるが傘柄に荷物を直接掛けることができ、使い勝手の向上を図った荷掛け傘絵を提供する。【解決手段】傘の握柄の上部に小さい溝を作って、傘を先端地面向きに持つときに、買い物入りビニール袋のような小荷物をこの溝部に直接かけることができ、手首を荷物の負担から解放できる。【選択図】図１
0003160561.tif 000002
【実用新案登録請求の範囲】
【請求項１】
傘柄の上に、買い物入りビニール袋のような小荷物を直接に掛けることを目的として、物をフックできる形状な溝が一個あるいは複数に作られているのを特徴とする荷掛け傘柄。
【考案の詳細な説明】
【技術分野】
【０００１】  本考案は、傘柄の上に小さい溝を作ることによって、雨の日こ電車利用などの場合、乗車中に傘を先端地面向きに持つとき、傘柄上の溝に小荷物をフックできる傘柄に関する。
【背景技術】
【０００２】  従来、傘をさす状態（傘先端上向き）に、傘柄の湾曲部分に小荷物（買い物入りのビニール袋など）をかけることが出来るが、電車など交通機関の利用時に傘を畳んで先端を地面につけて持つような場合、傘柄の湾曲部が下向きなので、荷物をかけることが出来ない。
【考案の概要】
【考案が解決しようとする課題】
【０００３】  傘を持って電車などの交通機関を利用する場合、席がないとき、片手に吊り輪を握って、もう片手に傘を立ち握る人が多く見られる。さらにコンビニなどで買い物したビニール袋のような小荷物を持つ場合、従来の傘柄では、傘先端下向き時、その傘柄に荷物をかけることが出来ないため、荷物を手首にかける人がほとんどである。【０００４】  しかし、小荷物とは言え、時間が長くなると、やはり手首に大きな負担をかけることになる。特にビニール袋のような掛け部が細い荷物の場合、手首に赤い線が出来るほど体にダメージを与える。本考案は、傘を持つスタイルを変えずに、この問題を解決するためになされたもので、その目的とするところは、傘柄に荷物を直接掛けることができ、使い勝手の向上を図った荷掛け傘柄を提供するものである。
【課題を解決するための手段】
【０００５】  上記目的を達成するため、本考案では、図１に示すように、傘柄の上に小さい溝を作って、その溝を荷物掛けるフックとして使用できることによって、人の腕に負担をかけず、荷物を直接に傘柄に掛けること（図２）を特徴とする。【０００６】  荷物の重心をなるべく傘の軸（Ｃ）に来るように、溝の位置を（Ａ）と（Ｂ）の区間内に一個または複数を作ることを特徴とする。
【考案の効果】
【０００７】  以上の構成よりなる本考案荷掛け傘柄によれば、傘柄に直接荷物を掛けることができるので、荷物を手首にかけることがなく、体の負担を軽減して、使い勝手の向上が図られることになる。
【図面の簡単な説明】
【０００８】
【図１】は本考案に係る荷掛け傘柄の側面図である。
【図２】は荷掛け傘柄に荷物を掛ける時のイメージ図である。
【実施例】
【０００９】  図１は、本考案荷掛け傘柄の１実施例の側面図であって、１は図２と同様である。【００１０】  １の部分に小さい溝を作って、傘を先端下向きに持つ時に、図２に示すように、ビニール袋のような小荷物をその溝に直接に掛けることができる。
【符号の説明】
【００１１】  Ａ．．．傘柄の最低点位置
Ｂ．．．傘柄の最高点位置
Ｃ．．．傘の軸を示す線
１．．．荷掛け用溝
２．．．荷掛け用溝
３．．．荷掛け用溝
４．．．荷物入りビニール袋
【図１】
0003160561.tif 000003
【図２】
0003160561.tif 000004
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
傘先端を下向きにした状態において、傘柄に、一つ又は複数の上向きに開口した荷物掛け用溝を設けたことを特徴とする荷掛け傘柄。
【請求項２】
前記溝が、傘先端を下向きにした状態において、傘柄の最高点位置から傘柄の最低点位置へ向かう経路に沿った傘柄の部分に設けられていることを特徴とする請求項１記載の荷掛け傘柄。
【手続補正２】
【補正対象書類名】明細書
【補正対象項目名】全文
【補正方法】変更
【補正の内容】
【考案の詳細な説明】
【技術分野】
【０００１】  本考案は、傘柄の上に小さい溝を作ることによって、雨の日に電車利用などの場合、乗車中に傘を先端地面向きに持つとき、傘柄上の溝に小荷物をフックできる傘柄に関するものである。
【背景技術】
【０００２】  従来、傘をさす状態（傘先端上向き）に、傘柄の湾曲部分に小荷物（買い物入りのビニール袋など）をかけることが出来るが、電車など交通機関の利用時に傘を閉じて先端を地面につけて持つような場合、傘柄の湾曲部が下向きなので、荷物をかけることが出来ない。
【考案の概要】
【考案が解決しようとする課題】
【０００３】  傘を持って電車などの交通機関を利用する場合、席がないとき、片手に吊り輪を握って、もう片手に傘を立ち握る人が多く見られる。さらにコンビニなどで買い物したビニール袋のような小荷物を持つ場合、従来の傘柄では、傘先端下向き時、その傘柄に荷物をかけることが出来ないため、荷物を手首にかける人がほとんどである。【０００４】  しかし、小荷物とは言え、時間が長くなると、やはり手首に大きな負担をかけることになる。特にビニール袋のような掛け部が細い荷物の場合、手首に赤い線が出来るほど体にダメージを与える。本考案は、傘を持つスタイルを変えずに、この問題を解決するためになされたもので、その目的とするところは、傘柄に荷物を直接掛けることができ、使い勝手の向上を図った荷掛け傘柄を提供するものである。
【課題を解決するための手段】
【０００５】  上記目的を達成するため、本考案では、傘先端を下向きにした状態において、傘柄に、一つ又は複数の上向きに開口した荷物掛け用溝を設けたことを特徴とする。
【考案の効果】
【０００６】  以上の構成よりなる本考案荷掛け傘柄によれば、傘柄に直接荷物を掛けることができるので、荷物を手首にかけることがなく、体の負担を軽減して、使い勝手の向上が図られることになる。
【図面の簡単な説明】
【０００７】
【図１】は本考案に係る荷掛け傘柄の側面図である。
【図２】は荷掛け傘柄に荷物を掛ける時のイメージ図である。
【実施例】
【０００８】  図１は、本考案荷掛け傘柄の１実施例の側面図であって、１は図２と同様である。【０００９】  傘先端下向き状態で、傘柄表面に口を上向きにした小さい溝を作って、傘を先端下向きに持つ時に、図２に示すように、例えばビニール袋などの小荷物をその溝に直接に掛けることができる。【００１０】  荷物の重心をなるべく傘の軸（Ｃ）に来るように、溝の位置を（Ａ）と（Ｂ）の区間内に設けると、荷物をバランスよく、持ちやすくなる。
【符号の説明】
【００１１】Ａ．．．傘柄の最低点位置
Ｂ．．．傘柄の最高点位置
Ｃ．．．傘の軸を示す線
１．．．荷掛け用溝
２．．．荷掛け用溝
３．．．荷掛け用溝
４．．．荷物入りビニール袋
(57)【要約】      （修正有）【課題】速乾水性塗料用刷毛の柄の部分に付着した塗膜を除去する際、柄を傷めることがないような刷毛を提供する。【解決手段】速乾水性塗料用刷毛の柄２の部分を耐久性の高い塩化ビニル樹脂製にすることによって柄に付着した塗膜を除去する際、柄を傷つけにくくし、毛の部分と結合することにより刷毛全体の耐久性を向上させる。【選択図】図１
0003160567.tif 000002
【実用新案登録請求の範囲】
【請求項１】
速乾水性塗料用刷毛の柄の部分を耐久性の高い塩化ビニル樹脂製にすることによって柄に付着した塗膜を除去する際、柄を傷つけにくくし、毛の部分と結合することにより刷毛全体の耐久性が増すというところを特徴とする速乾水性塗料用刷毛。
【考案の詳細な説明】
【技術分野】
【０００１】  本考案は、柄の部分を耐久性の高い塩化ビニル樹脂製にした速乾水性塗料用刷毛に関するものである。
【背景技術】
【０００２】  従来、速乾水性塗料用刷毛の柄は木製のもが主流で耐久性の高い柄はなく、柄の部分に付着した塗膜を除去する際、柄の部分を傷めてしまっていた。
【先行技術文献】
【非特許文献】
【０００３】
【非特許文献１】  「大塚刷毛製造株式会社  総合カタログｖｏｌ．７」、Ｐ．０４８
【考案の概要】
【考案が解決しようとする課題】
【０００４】  速乾水性塗料用刷毛の柄に付着した塗膜を除去する際、柄を傷めず、柄の耐久性を著しく低下させないということを解決しようとするものである。
【課題を解決するための手段】
【０００５】  本考案は、速乾水性塗料用刷毛の柄を耐久性の高い塩化ビニル樹脂製にすることによって柄に付着した塗膜を除去する際、柄を傷めにくくすることにより問題を解決している。
【考案の効果】
【０００６】  速乾水性塗料用刷毛の柄を耐久性の高い塩化ビニル樹脂製にして毛の部分と結合することにより、刷毛全体の耐久性が増し長持ちするようになる。
【図面の簡単な説明】
【０００７】
【図１】本考案の速乾水性塗料用刷毛の一実施例を示す図である。
【考案を実施するための形態】
【０００８】  速乾水性塗料用刷毛を使用後、水道水で洗います。塩化ビニル樹脂製の柄に付着し、硬化してしまった塗膜をヘラや皮スキなどの道具を使ってはがします。
【実施例】
【０００９】  以下、添付図面に従って一実例を説明する。１は化繊などの毛の部分、２は塩化ビニル樹脂製の柄の部分、３は１と２を結合させる針金である。１に付いた塗料は水道水で洗い、２に付着し、硬化してしまった塗膜はヘラや皮スキなどの道具を使ってはがす。
【符号の説明】
【００１０】  １  化繊などの毛部分
２  塩化ビニル樹脂製の柄
３  針金
４  リベット
【図１】
0003160567.tif 000003
(57)【要約】      （修正有）【課題】ゴルフバックの配送時にかぶせるカバーの底部が擦り切れないようにしたゴルフバッグのカバーを提供する。【解決手段】ゴルフバックに被せるカバーの底部を最初から開口しておき、カバーを被せた時ゴルフバックの底部が露出するようにしておく事でカバーが、ゴルフバッグの底部と床面の間にはさまって、擦り切れることがなく、カバーが長持ちし廃棄されるゴミもすくなくなる。【選択図】図２
0003160513.tif 000002
【実用新案登録請求の範囲】
【請求項１】
ゴルフバックを配送する時に被せるカバーの底部が開口されているカバー。
【考案の詳細な説明】
【考案の概要】
既存のゴルフバックの配送時等に使用されるカバーはゴルフバック全体がすっぽり入るように作られているが本考案はゴルフバックの底部はカバーされず剥き出しになるようにカバーの底部が最初から開口しているゴルフバックのカバーである。
【考案が解決しようとする課題】
【０００１】通常のゴルフバックの底部は固くしっかりと作られており立てて置いても倒れないようにできているがカバーをかけたまま立てて置くとカバーの底部がすぐに擦り切れてしまうので頻繁に買い替えねばならず大変不経済であり、またしいてはゴミを増やすことから環境問題にもつながっている。
【課題を解決するための手段】
【０００２】ゴルフバックにカバーをかけたままゴルフバックを立ててもカバーの底が擦り切れないように最初からカバーの底部を開口しておきゴルフバックの底部がじかに地面等に接するようにして、カバーの底が間に挟まって擦り切れないようにした。
【考案の効果】
【０００３】本考案に基づいて作られたゴルフバックのカバーを使用すればカバーの寿命は確実に伸び経済的であり、且つまた廃棄されるゴミもそれ相応に少なくなる。
【図面の簡単な説明】
【既存のゴルフバックのカバーと本考案のゴルフバックのカバーの使用時の図】
１  既存のゴルフバックのカバーの使用時の図
２  本考案のゴルフバックのカバーの使用時の図
【図１】
0003160513.tif 000003
【図２】
0003160513.tif 000004
【手続補正書】
【提出日】平成22年4月7日(2010.4.7)
【手続補正１】
【補正対象書類名】実用新案登録請求の範囲
【補正対象項目名】全文
【補正方法】変更
【補正の内容】
【実用新案登録請求の範囲】
【請求項１】
袋状のカバーの底部を開口しておきゴルフバックの底部だけはカバーの外に露出するように作られているゴルフバックのカバー。
【手続補正２】
【補正対象書類名】明細書
【補正対象項目名】全文
【補正方法】変更
【補正の内容】
【考案の詳細な説明】
【考案の概要】
既存のゴルフバックの配送時等に使用されるカバーはゴルフバック全体がすっぽり入るように作られているが本考案はゴルフバックの底部はカバーされずゴルフバックの底部だけが露出するようにカバーの底部が最初から開口しているゴルフバックのカバーである。
【考案が解決しようとする課題】
【０００１】通常のゴルフバックの底部は固くしっかりと作られており立てて置いても倒れないようにできているがカバーをかけたまま立てて置くと硬いゴルフバックの底部と床面の間にカバーの底部が挟まれてすぐに擦り切れてしまうので頻繁に買い替えねばならず大変不経済であり、またしいてはゴミを増やすことから環境問題にも、つながってくる。
【課題を解決するための手段】
【０００２】ゴルフバックにカバーをかけたままゴルフバックを立ててもカバーの底が擦り切れないように最初からカバーの底部を開口しておきゴルフバックの底部がじかに床面等に接するようにして、カバーの底が間に挟まって擦り切れないようにした。
【考案の効果】
【０００３】本考案に基づいて作られたゴルフバックのカバーを使用すればカバーの寿命は確実に伸び経済的であり、且つまた廃棄されるゴミもそれ相応に少なくなる。
【図面の簡単な説明】［既存のゴルフバックのカバーと本考案のゴルフバックのカバーの使用時の図］
【図１】「既存のゴルフバックのカバーを使用した時の側面図である。」
【図２】「本考案のゴルフバックのカバーを使用したときの側面図である。」
(57)【要約】      （修正有）【課題】農作業に於いて、ハウス又はナス・キュウリなどの作物をつくる場合に、マイカ線を張るための作業をスムーズに効率よく行えるマイカ線止めパッカーを提供する。【解決手段】外側の溝には丸スプリングを使用し、内側には中心部に凸凹した突起物が数本付いているために紐やマイカ線がしっかり固定されるようになっていて外れにくい。更に上下部には金具が入るように溝が付いている。【選択図】図１
0003160514.tif 000002
【実用新案登録請求の範囲】
【請求項１】
本体は半円柱状になっていて、上下端に強力スプリングを入れるための溝があり、スプリングが挿入される。また、本体の中心部には半円形の切り込みがあり、内側に数ヶ所の突起があり、これをマイカ線止めパッカー
【考案の詳細な説明】
【技術分野】Ｊ−２０１００２０２【０００１】平成２２年２月２日
農作業に於いてハウス又はナス・キュウリなどの作物をつくる場合にマイカ線を張るための物である
【技術背景】
【０００２】従来ビニールハウスに使用するパッカーは存在するが、それらはみな側面方向から結ぶタイプ、又は支柱にマイカ線を張るタイプであり、紐か針金などで止めているため手間がかかるのが現状である。そこで、これらの作業をスムーズに効率よく行えるように、本パッカーを開発した。
【先行技術文献】
【特許文献】
【０００３】公開実用・昭和５６−２６５４４・紐取り付けクリップ実用新案
【考案概要】
【考案が解決しようとする課題】
【０００４】従来のパッカーは紐を挟んで支柱に止めるタイプであり、風などの外力がかかるとすぐに外れてしまったが、本パッカーは従来のタイプとは全く違うものである。まず、外側の溝には丸スプリングを使用し、内側には中心部に凸凹した突起物が数本付いているために紐やマイカ線がしっかり固定されるようになっていて外れにくい。更に上下部には金具が入るように溝が付いている。
【課題を解決するための手段】
【０００５】一般的な農作業に従来のパッカーを使用すると手間がかかり過ぎるため、よりよい作業効率を求め、この課題を解決策とした。
【考案の効果】
【０００６】ワンタッチ式で作業効率は抜群である
【図面の簡単な説明】
【０００７】
【図１】斜面図
【図２】Ａ−Ａの断面図
【図３】組み込まれた斜面図
【図４】使用された全体図
【考案を実施するための形態】
【実施例】
【０００８】支柱の外側から図１−４の中にマイカ線を入れ、図１−５の方向から差し込むと図１−６の突起部にマイカ線がくい込みしっかり固定される。
更に必要性が無くなった時には、図１−１の中に金具等を差込み、こじると外れるようになっている。
【符号の説明】
【０００９】１．外し溝    ２．スプリング    ３．スプリング溝
４．マイカ線差込み口    ５．パイプ差込み口    ６．滑り止め
0003160514.tif 000003
【図３】
0003160514.tif 000004
【図４】
0003160514.tif 000005
【手続補正書】
【提出日】平成22年3月31日(2010.3.31)
【手続補正１】
【補正対象書類名】実用新案登録請求の範囲
【補正対象項目名】全文
【補正方法】変更
【補正の内容】
【実用新案登録請求の範囲】
【請求項１】
本体はＵ字状になっていて上下端には強力なスプリングを入れるための溝があり、スプリングが挿入され、本体の中心部には半円形の切り込みがあり、内側には数箇所凸凹した突起がついていることを特徴とするマイカ線止めパッカー
【手続補正２】
【補正対象書類名】図面
【補正対象項目名】全図
【補正方法】変更
【補正の内容】
【図１】
0003160514.tif 000006
【図２】
0003160514.tif 000007
【図３】
0003160514.tif 000008
【図４】
0003160514.tif 000009